(57)【要約】【課題】    防犯性が高く且つ外観が良い扉装置を提供する。【解決手段】  本発明の扉装置１は、一の扉５と、操作具２４と、閂２５と、閂受け２２とを備え、操作具２４は一の扉５の室内側面に設けた手摺２４又はハンドル６４であり、閂２５は操作具２４の内部又は操作具の取付台座２３の内部から閂受け２２に向けて水平方向に出没自在であり、閂受け２２は一の扉５の戸先側に隣接する他の扉７の室内側面又は一の扉５の戸先側竪枠６２の室内側面、又は一の扉５の戸先側竪枠６２の内部のいずれかに設けてある。【選択図】      図１
2006063789.tif 000002
【特許請求の範囲】
【請求項１】
一の扉と、操作具と、閂と、閂受けとを備え、操作具は一の扉の室内側面に設けた手摺又はハンドルであり、閂は操作具の内部又は操作具の取付台座の内部から閂受けに向けて水平方向に出没自在であり、閂受けは一の扉の戸先側に隣接する他の扉の室内側面又は一の扉の戸先側竪枠の室内側面、又は一の扉の戸先側竪枠の内部のいずれかに設けてあることを特徴とする扉装置。
【請求項２】
一の扉を閉じたときに、操作具又は取付台座の閂の出没面と、閂受けの一の扉側端面とが近接していることを特徴とする請求項１に記載の扉装置。
【請求項３】
操作具又は取付台座の閂の出没面は、室外側又は室内側を向く傾斜面であり且つ閂受けの一の扉側端面と略平行になっていることを特徴とする請求項２に記載の扉装置。
【発明の詳細な説明】
【技術分野】
【０００１】
本発明は、扉装置に関する。
【背景技術】
【０００２】
特許文献１には、一の扉の室内側面に設けた操作具（ハンドル）と、戸先側竪枠に設けた閂とを備えた技術が開示されている。この特許文献１の技術では、操作具に閂受けを突設して設けており、閂受けに閂が出入することで扉の解錠及び施錠を行なっている。
特許文献２には、一の扉の内部に設けた閂が戸先側竪枠内に設けた閂受けに出入することで扉の解錠及び施錠を行なう技術が開示されている。
【０００３】
【特許文献１】特開平１０−３７５５５号公報
【特許文献２】特開２００２−７０３６８号公報
【発明の開示】
【発明が解決しようとする課題】
【０００４】
しかし、特許文献１に記載の従来技術は、閂が戸先側竪枠の内部に設けてあるため、第三者が、一の扉と戸先側竪枠との隙間からバール等を差し込んで閂を破壊したり、ドライバーを差し込んで閂を操作することができ、防犯性に劣るという問題がある。
特許文献２に記載の従来技術は、一の扉の内部に閂を設けてあるため閂の太さが制限される。従って、閂や閂受けの強度が十分でなく、一の扉と戸先側竪枠との隙間からバール等を差し込んで閂や閂の受けを破壊することができ防犯性に劣るという問題がある。
また、特許文献１に記載の従来技術は、閂受けが操作具から突設して設けてあるので、外観を損ねるという問題がある。
本発明は、防犯性が高く且つ外観が良い扉装置を得ることを目的とする。
【課題を解決するための手段】
【０００５】
前記課題を解決するために、請求項１に記載された発明は、一の扉と、操作具と、閂と、閂受けとを備え、操作具は一の扉の室内側面に設けた手摺又はハンドルであり、閂は操作具の内部又は操作具の取付台座の内部から閂受けに向けて水平方向に出没自在であり、閂受けは一の扉の戸先側に隣接する他の扉の室内側面又は一の扉の戸先側竪枠の室内側面、又は一の扉の戸先側竪枠の内部のいずれかに設けてあることを特徴とする。
【０００６】
請求項２に記載された発明は、請求項１に記載の発明において、一の扉を閉じたときに、操作具又は取付台座の閂の出没面と、閂受けの一の扉側端面とが近接していることを特徴とする。
【０００７】
請求項３に記載された発明は、請求項２に記載の発明において、操作具又は取付台座の閂の出没面は、室外側又は室内側を向く傾斜面であり且つ閂受けの一の扉側端面と略平行になっていることを特徴とする。
【発明の効果】
【０００８】
請求項１に記載の発明によれば、閂が一の扉の室内側に設けた操作具又は操作具の取付台座の内部に設けているので、一の扉と他の扉との隙間（又は一の扉と戸先側竪枠との隙間）から、バールやドライバー等を室外側から差し込んで一の扉と他の扉との隙間（又は一の扉と戸先側竪枠との隙間）を操作しても、閂を破壊したり外しにくいので、防犯性が高い。
扉の内部に閂や閂受けを設けないので、閂の太さが制限されないと共に閂受けに嵌合する長さも制限されず、強度を高めることができる。
閂が操作具の内部又は操作具の取付台座の内部に納まっているので、閂の太さを大きくして閂の強度を高めることができ且つ外観も良い。
【０００９】
請求項２に記載された発明によれば、請求項１に記載の発明と同様の効果を奏すると共に、扉を閉じた状態において、操作具又は取付台座の閂の出没面と閂受けの一の扉側端面とが近接しているので、閂受けを大きくしなくとも閂のかかりを大きくすることができる。
扉を閉じた状態において、操作具又は取付台座の閂の出没面と閂受けの一の扉側端面とが近接して、操作具又は取付台座と閂受けとが一体的に見え、或いは操作具又は取付台座と戸先側竪枠とが一体的に見えるので外観が良い。
【００１０】
請求項３に記載された発明によれば、請求項２に記載の発明と同様の効果を奏すると共に、操作具又は取付台座の閂の出没面は室外側又は室内側を向く傾斜面となっているので、一の扉と他の扉との隙間（又は扉と戸先側竪枠との隙間）から真直ぐに差し込んだバールやドライバー等が操作具や取付台座の閂の出没面と閂受けの一の扉側端面との繋ぎ目に入り難く、閂を操作し難いので防犯性が高い。
【発明を実施するための最良の形態】
【００１１】
以下に、添付図面を参照して、本発明の実施の形態を詳細に説明するが、先ず図１〜図４を参照して第１実施の形態について説明する。図１は図４（ｂ）に示す玄関扉のＡ―Ａ断面図、一点鎖線で抜き出して示す図は閉扉状態における手摺と閂受けとを示す拡大図、図２は図４（ｂ）に示す扉装置の手摺を抜き出して拡大して示す正面図、図３は本実施形態に係る扉装置の開閉動作の制御を示すブロック図、図４（ａ）は本実施の形態に係る玄関扉を室外側から見た正面図、（ｂ）は玄関扉を室内側から見た正面図である。
第１実施の形態に係る扉装置１は、外開きの玄関扉３に取り付けられるものであり、玄関扉３は扉（一の扉）５と、扉５の戸先側に隣接する隣の扉（他の扉）７とからなる親子扉である。
扉装置１は、扉５と、扉５の室内側面に設けられた手摺（操作具）２４と、隣の扉７に設けられた閂受け２２と、閂２５とを備えている。手摺２４は扉枠の上下枠と水平に設けており、扉５の室内側面４に固定した取付台座２３、２３間に支持してある。閂２５は、手摺２４の内部を手摺２４の長手方向（水平方向）に移動して閂受け２２側に出没するものであり、手摺２４の吊元側に設けられた駆動部２７の駆動により移動するようになっている。駆動部２７は、扉５の室外側面６に取り付けた電子鍵装置４１及び扉５の室内側面４に取り付けた解錠ボタン４７の操作によって駆動する（図４参照）。尚、本実施の形態では、駆動部２７としてパワーシリンダを用いている。
閂受け２２は、隣の扉７の戸先側の室内側面２９に固定してあり、閂受け２２の手摺側端面（一の扉側端面）５９に閂２５の受け孔３１が設けられている。閂受け２２は玄関扉３を閉じたときに、手摺２４の閂受け側端面（閂の出没面）５３と閂受け２２の手摺側端面（一の扉側端面）５９とが近接するようになっており、手摺２４の内部にある閂２５が閂受け２２の受け孔３１内に嵌合することで、玄関扉３の施錠がなされるようになっている。
手摺２４の閂受け側端面５３は室内側を向いた傾斜面となっており、室外側の基端部５５が室内側の先端部５７よりも戸先側に位置している。また、閂受け２２の手摺側端面（一の扉側端面）５９は手摺２４の閂受け側端面（閂の出没面）５３と略平行になっている。
扉５と隣の扉７は吊元側竪枠に設けたヒンジ１１、１３を介してそれぞれ開閉自在に取付られている。また、扉５の戸先側端部には扉５の戸先側端面から出没自在なラッチ１５が設けられており、隣の扉７の戸先側端部にはラッチ１５を受けるラッチ受け１７が設けられており、玄関扉３を閉じた状態においてラッチ１５がラッチ受け１７に係合するようになっている。
扉装置１には、ラッチ１５の操作レバー２０が設けられており、操作レバー２０を操作すると、扉５側に引っ込んでラッチ受け１７との係合が解除される。
扉５の室外側面６には室外側手摺２が設けられており、室外側手摺２を手に握って室外側から玄関扉３を開け閉めできるようになっている。室外側手摺２にはラッチの操作レバー１９が取り付けられており、操作レバー１９を操作するとラッチ１５が扉５側に引っ込んで、ラッチ受け１７との係合が解除される。
電子鍵装置４１及び解錠ボタン４７は制御部４５と電気的に繋がっており、制御部４５により駆動部２７の駆動制御を行なっている。また、手摺２４には第１リードスイッチ３５及び第２リードスイッチ３７とが設けられており、２つのリードスイッチ３５、３７は夫々制御部４５と電気的に繋がっている。第１リードスイッチ３５及び第２リードスイッチ３７が閂２５の位置を検知することにより、閂２５が受け孔３１との係合位置と解除位置との間を移動するようになっている。
電子鍵装置４１は、玄関扉３の室外側に設けた指紋照合部４３で指紋による照合により玄関扉３の解錠を行なっており、この指紋照合部４３に当てられた指紋と予め記憶された指紋とが一致した場合に、制御部４５が解錠信号を受け付ける。そして、次に玄関扉３の室内側に設けた解錠ボタン４７を押すと、解錠信号が制御部４５に送られ、駆動部２７を駆動するようになっている。
【００１２】
次に、本実施の形態に係る作用及び効果を説明する。室内側又は室外側から玄関扉３に鍵をかける場合は、扉５を閉じると施錠信号が制御部４５に送られ、駆動部２７の駆動により、閂２５が手摺２４の内部を閂受け２２に水平移動して閂受け２２の受け孔３１と嵌合し、自動的に玄関扉３に鍵がかかる。
本実施の形態では、閂２５が一の扉５の室内側に設けた手摺２４の内部にあるので、５と隣の扉７との隙間から、バールやドライバー等を室外側から差し込んで扉５と隣の扉７との隙間を操作しても、閂２５を破壊したり外し難く、防犯性が高い。
閂受け２２が隣の扉７の戸先側室内側面２９に設けてあるので、閂受け２２の受け孔３１の大きさを気にする必要がなく設置し易いと共に、閂２５が受け孔３１に嵌合する長さを大きくできるので、強度を高めることができる。
扉５の内部に閂２５や閂受け２２を設けないので、閂２５の太さが制限されないと共に、閂２５が閂受け２２に嵌合する長さも制限されず、強度を高めることができる。
扉５を閉じた状態において、手摺２４の閂受け側端面（閂の出没面）５３と閂受け２２の手摺側端面（一の扉側端面）５９とが近接しているので、閂受け２２を大きくしなくとも閂５のかかりを大きくすることができる。
扉５を閉じた状態において、手摺２４の閂受け側端面（閂の出没面）５３と閂受け２２の手摺側端面（一の扉側端面）５９とが近接して、手摺２４と閂受け２２とが一体的に見えるので外観が良い。
手摺２４の閂受け側端面（閂の出没面）５３が室内側を向いた傾斜面となっているので、扉５と隣の扉７との隙間から真直ぐに差し込んだバールやドライバー等が手摺２４と閂受け２２との繋ぎ目に入り難く、閂２５を受け孔３１から外し難く防犯性が高い。
閂２５を手摺２４の内部に設けてあるので、閂２５の太さや長さを大きくして閂２５の強度を高めることができ且つ外観も良い。
扉５の室内側面４に設けた手摺２４の内部に閂２５を設け、隣の扉７の室内側面に閂受け２２を設けるだけなので、扉５の内部に閂２５を設ける場合に比べて、加工しやすく後付けが簡単である。
手摺２４が上下枠と略平行に設けてあるため、扉５の戸先側端面から離れた位置を握ることができ、お年寄りや子供であっても安心して玄関扉３の開閉ができ、使い勝手が良い。
尚、室外側から室内側に入る場合には、扉５に取り付けてある電子鍵装置４１の指紋照合部４３に指を当て、予め記憶された指紋と一致すると、解錠信号が制御部４５に送られ、駆動部２７の駆動により、閂２５が吊元側に移動して受け孔３１との係合が解除される。この状態で、室外側手摺２に設けた操作レバー１９を操作しつつ、室外側手摺２を室外側に引くことで扉５が回動し、室内に入ることができる。
また、室内側から室外側に出る場合には、扉５の室内側面４に設けられた解錠ボタン４７を押すことで、解錠信号が制御部４５に送られ、駆動部２７の駆動により、閂２５が吊元側に移動して受け孔３１との嵌合が解除され、玄関扉３の鍵が開けられる。この状態で、扉装置１に設けた操作レバー２０を操作して、手摺２４を室外側に押すことで扉５を開ける。
【００１３】
次に、本発明の他の実施の形態について説明するが、以下の説明においては上述した第１実施の形態と同一の作用効果を奏する部分には同一の符号を付することによりその部分の説明を省略し、上述した実施の形態と主に異なる点を説明する。
図５に示す第２実施の形態は、玄関扉３は扉５と扉枠９とから構成されており且つ扉５の戸先側竪枠（竪枠）６２の室内側面に閂受け２２を設けてある点が第１実施の形態と異なっている。尚、電子鍵装置４１による施錠解錠等のその他の構成は第１実施の形態と同じである。この第２実施の形態においても、上述した第１実施の形態と同様な効果を得ることができる。尚、図５及び以下に説明する図６〜図８は、各々玄関扉３の横断面図である。
図６に示す第３実施の形態は、第２実施の形態の扉装置１における手摺２４に替えて、ハンドル６４を操作具として用いており、ハンドル６４の内部に閂２５が出没自在に設けてある。
この第３実施の形態によれば、第１実施の形態における「手摺２４を上下枠と略平行に設けることにより戸先側から離れた位置を握ることができて使い勝手が良い」という効果を除き、第１実施の形態と同様の効果を得ることができる。
図７に示す第４実施の形態は、閂受け２２を戸先側竪枠６２の内部に設けた点、及び室内側にのみ手摺２４を設け扉５の室外側に手摺２がない点が第２実施の形態と異なる。戸先側竪枠６２は、扉５の戸当り部６２ａと戸当り部６２ａの室内側に位置する室内側部６２ｂとが一つの形材で作られており、室内側部６２ｂの内部に閂受け２２を設けてある。この第４実施の形態においても、第２実施の形態と同様の効果を得ることができる。
図８に示す第５実施の形態は、第３実施の形態において、ハンドル６４の取付台座２３の内部に閂２５を設けたことが第３実施の形態と異なっている。この第５実施の形態によれば、第３実施の形態と同様の効果を得ることができる。
【００１４】
尚、本発明は、前述した実施形態に限定されることなく、その要旨を逸脱しない範囲で種々変形して実施できる。
第１実施の形態において、隣の扉７の閂受け２２は手摺状にして、手摺２４の閂受け側端面と閂受け２２の手摺側端面とが略連続するようにしても良い。
第１実施の形態において、玄関扉３は両開きドアであっても良く、この場合、一方のドアに手摺２４を設け、他方のドアに閂の受け孔３１を有する手摺を設けてあっても良い。
各実施の形態において、玄関扉３は内開きであっても良く、内開き扉の場合は、手摺２４の閂受け側端面５３は室外側を向いた傾斜面となっている。
各実施の形態において、玄関扉３の室外からの解錠は電子鍵装置４１の指紋照合により行なっているが、これに限定されず、電子鍵装置４１の代わりにリモートコントローラに解錠ボタンを設け、玄関扉３に制御部４５に接続した受光部を設けて、リモートコントローラからの遠隔操作により閂２５の移動を制御しても良い。
各実施の形態において、玄関扉３の室内からの解錠は解錠ボタン４７の操作により行なっているが、これに限定されず、施解錠装置４７の代わりにリモートコントローラに解錠ボタンを設け、玄関扉３に制御部４５に接続した受光部を設けて、リモートコントローラからの遠隔操作により閂２５の移動を制御しても良い。
各実施の形態において、扉装置１は扉５を閉じると、自動的に閂２５により鍵がかかるようになっているが、室内側に施錠ボタンを設け、ボタン操作によって閂２５により鍵がかかるようになっていても良い。
【図面の簡単な説明】
【００１５】
【図１】図４（ｂ）に示す玄関扉のＡ―Ａ断面図であり、一点鎖線で抜き出して示す図は閉扉状態における手摺と閂受けとを示す拡大図である。
【図２】図４（ｂ）に示す玄関扉の手摺を抜き出して拡大して示す正面図である。
【図３】本実施形態に係る扉装置の開閉動作の制御を示すブロック図である。
【図４】（ａ）は本実施の形態に係る玄関扉の室外側から見た正面図であり、（ｂ）は玄関扉の室内側から見た正面図である。
【図５】第２実施の形態にかかる扉装置を備えた玄関扉の横断面図である。
【図６】第３実施の形態にかかる扉装置を備えた玄関扉の横断面図である。
【図７】第４実施の形態にかかる扉装置を備えた玄関扉の横断面図である。
【図８】第５実施の形態にかかる扉装置を備えた玄関扉の横断面図である。
【符号の説明】
【００１６】
１              扉装置
４              扉の室内側面
５              扉（一の扉）
７              隣の扉（他の扉）
２２            閂受け
２３            取付台座
２４            手摺（操作具）
２５            閂
２９            戸先側室内側面
５３            閂受け側端面（閂の出没面）
５９            手摺側端面（一の扉側端面）
６２            戸先側竪枠
６４            ハンドル（操作具）
【図１】
2006063789.tif 000003
【図２】
2006063789.tif 000004
【図３】
2006063789.tif 000005
【図４】
2006063789.tif 000006
【図５】
2006063789.tif 000007
【図６】
2006063789.tif 000008
【図７】
2006063789.tif 000009
【図８】
2006063789.tif 000010